【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
少なくとも部分的に、無線通信を促すために利用可能なデバイスであって、前記デバイスは、
ハードウエアを含む論理回路であって、前記無線通信において利用できるプロトコルデータユニットのプリアンブルを少なくとも部分的に生成し、及び／又は、少なくとも部分的に送信する論理回路を備え、
前記プロトコルデータユニットは、前記プリアンブル及びデータを含み、
前記プリアンブルは、繰り返されたショートトレーニングフィールドを含み、
前記プリアンブルは、前記繰り返されたショートトレーニングフィールドに続く繰り返されたロングトレーニングフィールドも含み
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、各々の複数のシンボルを含み、
前記２つの繰り返されたショートトレーニングフィールド繰り返し、及び、前記２つの繰り返されたロングトレーニングフィールドは、前記１メガヘルツの帯域幅において検出を可能にする
デバイス。
【請求項２】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記論理回路は、少なくとも部分的に、集積回路チップに含まれ、
前記デバイスは、データを収集するためのセンサを含み、
前記デバイスは、データ収集器又は利用計測サブステーションに前記データを送信し、及び／又は
前記データは、ヘルスケア関連モニタ、又は、１つ又は複数のサービスに関連する請求項１に記載のデバイス。
【請求項３】
前記無線通信の前記１メガヘルツの帯域幅において、前記繰り返されたショートトレーニングフィールド及び前記繰り返されたロングトレーニングフィールドは、送信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有し、及び／又は、
前記デバイスは、さらに
少なくとも１つのアンテナと、
機械によって実行された場合に、前記プリアンブル及び前記データを生成し、及び／又は送信する、複数の機械実行可能命令を格納する、少なくとも１つのメモリと、
無線周波数送信機と
を備える請求項１又は２に記載のデバイス。
【請求項４】
無線通信に利用可能である装置であって、前記装置は、
前記無線通信において、プロトコルデータユニットのプリアンブルを受信する受信機であって、受信された時に、前記プロトコルデータユニットが前記プリアンブル及びデータを含む受信機と、
前記プリアンブルは、繰り返されたショートトレーニングフィールドを含み、
前記プリアンブルは、前記繰り返されたショートトレーニングフィールドに続く繰り返されたロングトレーニングフィールドも含み、
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、複数のシンボルの各々を含み、
前記２つの繰り返されたショートトレーニングフィールド繰り返し、及び、前記２つの繰り返されたロングトレーニングフィールドは、前記１メガヘルツの帯域幅において検出を可能にする装置。
【請求項５】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記受信機は、少なくとも部分的に、集積回路チップに含まれ、
前記受信機は、データ収集器、又は、利用計測サブステーションに含まれ、及び／又は、
前記データは、ヘルスケア関連モニタ、又は、１つ又は複数のサービスの利用に関連する請求項４に記載の装置。
【請求項６】
前記無線通信の前記１メガヘルツの帯域幅において、前記繰り返されたショートトレーニングフィールド及び前記繰り返されたロングトレーニングフィールドは、受信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有し、
前記装置は、更に、
少なくとも１つのアンテナと、
機械によって実行された場合に、前記プリアンブル及び前記データを復号する、機械実行可能命令を格納する、少なくとも１つのメモリと
を含み、及び／又は、
前記受信機は、無線周波数受信機である請求項４又は５に記載の装置。
【請求項７】
無線通信に関連する利用についての方法であって、前記方法は、
論理回路によって、前記無線通信において利用できるプロトコルデータユニットのプリアンブルを少なくとも部分的に生成する段階、及び／又は、少なくとも部分的に送信する段階
を備え、
前記プロトコルデータユニットは、前記プリアンブル及びデータを含み、
前記プリアンブルは、繰り返されたショートトレーニングフィールドを含み、
前記プリアンブルは、前記繰り返されたショートトレーニングフィールドに続く繰り返されたロングトレーニングフィールドも含み、
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、複数のシンボルの各々を含み、
前記２つの繰り返されたショートトレーニングフィールド繰り返し、及び、前記２つの繰り返されたロングトレーニングフィールドは、前記１メガヘルツの帯域幅において検出を可能にする
方法。
【請求項８】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記論理回路は、少なくとも部分的に、集積回路チップに含まれ、
前記データは、センサによって収集され、
前記データは、データ収集器又は利用計測サブステーションに送信され、及び／又は、
前記データは、ヘルスケア関連モニタ、又は、１つ又は複数のサービスに関連する請求項７に記載の方法。
【請求項９】
前記無線通信の前記１メガヘルツの帯域幅において、前記繰り返されたショートトレーニングフィールド及び前記繰り返されたロングトレーニングフィールドは、送信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有する請求項７又は８に記載の方法。
【請求項１０】
無線通信に関連する利用についての方法であって、前記方法は、
前記無線通信において、プロトコルデータユニットのプリアンブルを、受信機によって受信する段階であって、前記プロトコルデータユニットは、受信された時に、前記プリアンブル及びデータを含む段階と、
前記プリアンブルは、繰り返されたショートトレーニングフィールドを含み、
前記プリアンブルは、前記繰り返されたショートトレーニングフィールドに続く繰り返されたロングトレーニングフィールドも含み、
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、複数のシンボルの各々を含み、
前記２つの繰り返されたショートトレーニングフィールド繰り返し、及び、前記２つの繰り返されたロングトレーニングフィールドは、前記１メガヘルツの帯域幅において検出を可能にする
方法。
【請求項１１】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記受信機は、少なくとも部分的に、集積回路チップに含まれ、
前記受信機は、データ収集器、又は、利用計測サブステーションに含まれ、及び／又は、
前記データは、ヘルスケア関連モニタ、又は、１つ又は複数のサービスの利用に関連する請求項１０に記載の方法。
【請求項１２】
前記無線通信の前記１メガヘルツの帯域幅において、前記繰り返されたショートトレーニングフィールド及び前記繰り返されたロングトレーニングフィールドは、受信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有し、及び／又は
前記受信機は、無線周波数受信機である請求項１０又は１１に記載の方法。
【請求項１３】
機械によって実行された場合に、複数のオペレーションを実行させるプログラムであって、
前記複数のオペレーションは、論理回路によって、無線通信において利用できるプロトコルデータユニットのプリアンブルを少なくとも部分的に生成する段階、及び／又は、少なくとも部分的に送信する段階
を備え、
前記プロトコルデータユニットは、前記プリアンブル及びデータを含み、
前記プリアンブルは、繰り返されたショートトレーニングフィールドを含み、
前記プリアンブルは、前記繰り返されたショートトレーニングフィールドに続く繰り返されたロングトレーニングフィールドも含み、
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、複数のシンボルの各々を含み、
前記２つの繰り返されたショートトレーニングフィールド繰り返し、及び、前記２つの繰り返されたロングトレーニングフィールドは、前記１メガヘルツの帯域幅において検出を可能にするプログラム。
【請求項１４】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記論理回路は、少なくとも部分的に、集積回路チップに含まれ、
前記データは、センサによって収集され、
前記データは、データ収集器又は利用計測サブステーションに送信され、及び／又は、
前記データは、ヘルスケア関連モニタ、又は、１つ又は複数のサービスに関連する請求項１３のプログラム。
【請求項１５】
前記無線通信の前記１メガヘルツの帯域幅において、前記繰り返されたショートトレーニングフィールド及び前記繰り返されたロングトレーニングフィールドは、送信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有する請求項１３又は１４に記載のプログラム。
【請求項１６】
機械によって実行された場合に、複数のオペレーションを実行させるプログラムであって、
前記複数のオペレーションは、無線通信において、プロトコルデータユニットのプリアンブルを、受信機によって受信する段階であって、前記プロトコルデータユニットは、受信された時に、前記プリアンブル及びデータを含む段階
を備え、
前記プリアンブルは、繰り返されたショートトレーニングフィールドを含み、
前記プリアンブルは、前記繰り返されたショートトレーニングフィールドに続く繰り返されたロングトレーニングフィールドも含み、
前記プリアンブルは、更に、前記繰り返されたショートトレーニングフィールドに続く１つ又は複数の信号フィールドを含み、
前記無線通信は、動作時に、１メガヘルツの帯域幅を有し、直交周波数分割多重方式を利用し、
前記繰り返されたショートトレーニングフィールドは、２つのショートトレーニングフィールド繰り返しを含み、
前記繰り返されたロングトレーニングフィールドは、２つのロングトレーニングフィールド繰り返しを含み、
前記２つの繰り返されたショートトレーニングフィールド繰り返しの各々、及び、前記２つの繰り返されたロングトレーニングフィールド繰り返しの各々は、複数のシンボルの各々を含み、
前記２つの繰り返されたショートトレーニングフィールド繰り返し、及び、前記２つの繰り返されたロングトレーニングフィールドは、前記１メガヘルツの帯域幅において検出を可能にするプログラム。
【請求項１７】
前記プロトコルデータユニットは、物理層プロトコルデータユニットであり、
二相位相偏移変調方式、又は
四位相偏移変調方式を用いて変調され、
前記データは、前記無線通信において繰り返されるペイロードに含まれ、
前記受信機は、少なくとも部分的に、集積回路チップに含まれ、
前記受信機は、データ収集器、又は、利用計測サブステーションに含まれ、及び／又は、
前記データは、ヘルスケア関連モニタ、又は、１つ又は複数のサービスの利用に関連する請求項１６に記載のプログラム。
【請求項１８】
前記無線通信の前記１メガヘルツの帯域幅において、前記繰り返されたショートトレーニングフィールド及び前記繰り返されたロングトレーニングフィールドは、受信された時に、第１の各々の期間を有し、前記１メガヘルツの帯域幅と比較してＮ倍大きい前記無線通信の他の帯域幅において、前記繰り返されたショートトレーニングフィールド及び前記繰り返されたロングトレーニングフィールドは、第１の各々の期間と比較して前記Ｎの係数で減少した他の各々の期間を有し、及び／又は
前記受信機は、無線周波数受信機である請求項１６又は１７に記載のプログラム。
【請求項１９】
少なくとも部分的に、無線通信に関連して利用できるデバイスであって、前記デバイスは、
ハードウェアを含む論理回路であって、前記無線通信において利用できるプロトコルデータユニットを、少なくとも部分的に生成し、及び／又は、少なくとも部分的に送信する論理回路を備え、
前記プロトコルデータユニットは、プリアンブルを含み、
前記プリアンブルは、繰り返されたロングトレーニングフィールドを含み、
前記プロトコルデータユニットは、前記プリアンブルに続く繰り返しデータを含むペイロードも含み、
前記無線通信は、動作時に、１ＭＨｚの帯域幅を有し、且つ、直交周波数分割多重方式を使用し、
前記繰り返されたロングトレーニングフィールドは、２つのロングトレーニングフィールド繰り返しを含み、
２つの前記繰り返されたロングトレーニングフィールド繰り返しの各々は、複数のシンボルを含み、
前記繰り返しデータは、少なくとも部分的に、２つのデータの繰り返しに基づいており、
前記２つのデータの繰り返しは、インターリービング、二相位相偏移変調マッピング及び逆離散フーリエ変換を含む無線通信関連動作において処理される
デバイス。
【請求項２０】
前記二相位相偏移変調マッピングは、１／４又は１／２の符号化レートであり、
前記繰り返しデータは、二進畳み込み符号化又は低密度パリティ検査符号化により符号化され、及び／又は、
前記無線通信は、１キロメートルのオーダの範囲で行われる
請求項１９に記載のデバイス。
【請求項２１】
前記プリアンブルは、繰り返されたショートトレーニングフィールドも含み、
前記繰り返されたロングトレーニングフィールドは、前記繰り返されたショートトレーニングフィールドに続き、
前記繰り返されたショートトレーニングフィールドは、２つのショートトレーニングフィールド繰り返しを含み、
２つの前記繰り返されたショートトレーニングフィールド繰り返しの各々は、複数のシンボルの各々を含み、
前記２つの繰り返されたショートトレーニングフィールド繰り返し及び前記２つの繰り返されたロングトレーニングフィールド繰り返しは、１ＭＨｚの帯域幅において、受信を可能にする
請求項１９又は２０に記載のデバイス。
【請求項２２】
前記デバイスは、
メモリ、及び媒体アクセス制御（ＭＡＣ）サブレイヤ論理を含むトランシーバと、
１又は複数のアンテナと、及び／又は、
ビットストリームがインターリーバに入る前に、前記ビットストリームに前記データの繰り返しを連結するベクトル繰り返し論理を含むペイロードリピータと
をさらに含む
請求項１９から２１のいずれか一項に記載のデバイス。
【請求項２３】
前記デバイスは、送信チェーンの１を超える数のシンボルの繰り返しを生成するためのシンボル繰り返し論理をさらに有し、及び／又は、
前記プリアンブルは、前記繰り返されたロングトレーニングフィールドに続く繰り返された単一フィールドをさらに含み、
前記繰り返された単一フィールドは、２つの単一フィールド繰り返しを含み、前記２つの単一フィールド繰り返しの各々は、他の複数のシンボルの各々を含む
請求項１９から２２のいずれか一項に記載のデバイス。
【請求項２４】
無線通信に関連して利用する方法であって、前記方法は、
無線通信において使用できるプロトコルデータユニットを少なくとも部分的に生成し、及び／又は、少なくとも部分的に送信する段階を
備え、
前記プロトコルデータユニットは、プリアンブルを含み、
前記プリアンブルは、繰り返されたロングトレーニングフィールドを含み、
前記プロトコルデータユニットは、前記プリアンブルに続く繰り返しデータを含むペイロードも含み、
前記無線通信は、動作時に、１ＭＨｚの帯域幅を有し、且つ、直交周波数分割多重方式を使用し、
前記繰り返されたロングトレーニングフィールドは、２つのロングトレーニングフィールド繰り返しを含み、
前記２つの繰り返されたロングトレーニングフィールド繰り返しの各々は、複数のシンボルの各々を含み、
前記繰り返しデータは、少なくとも部分的に、２つのデータの繰り返しに基づいており、
前記２つのデータの繰り返しは、インターリービング、二相位相偏移変調マッピング及び逆離散フーリエ変換を含む無線通信関連動作において処理される
方法。
【請求項２５】
前記二相位相偏移変調マッピングは、１／４又は１／２の符号化レートであり、
前記繰り返しデータは、二進畳み込み符号化又は低密度パリティ検査符号化により符号化され、及び／又は、
前記無線通信は、１キロメートルのオーダの範囲で行われる
請求項２４に記載の方法。
【請求項２６】
前記プリアンブルは、繰り返されたショートトレーニングフィールドも含み、
前記繰り返されたロングトレーニングフィールドは、前記繰り返されたショートトレーニングフィールドに続き、
前記繰り返されたショートトレーニングフィールドは、２つのショートトレーニングフィールド繰り返しを含み、
前記２つの繰り返されたショートトレーニングフィールド繰り返しの各々は、複数のシンボルの各々を含み、
前記２つの繰り返されたショートトレーニングフィールド繰り返し及び前記２つの繰り返されたロングトレーニングフィールド繰り返しは、１ＭＨｚの前記帯域幅において、受信を可能にする
請求項２４又は２５に記載の方法。
【請求項２７】
前記方法はデバイスを用いて実行され、
前記デバイスは、
メモリ、及び媒体アクセス制御（ＭＡＣ）サブレイヤ論理を含むトランシーバと、
１又は複数のアンテナ、及び／又は、
ビットストリームがインターリーバに入る前に、前記ビットストリームに前記データの繰り返しを連結するベクトル繰り返し論理を含むペイロードリピータと
を備える
請求項２４から２６のいずれか一項に記載の方法。
【請求項２８】
前記方法は、送信チェーンの１を超える数のシンボルの繰り返しを生成するためのシンボル繰り返し論理を用いて実行され、及び／又は、
前記プリアンブルは、前記繰り返されたロングトレーニングフィールドに続く繰り返された単一フィールドをさらに含み、
前記繰り返された単一フィールドは、２つの単一フィールド繰り返しを含み、前記２つの単一フィールド繰り返しの各々は、他の複数のシンボルの各々を含む
請求項２４から２７のいずれか一項に記載の方法。
【請求項２９】
機械によって実行された場合に、複数のオペレーションを実行させるプログラムであって、
前記複数のオペレーションは、無線通信において使用できるプロトコルデータユニットを少なくとも部分的に生成させ、及び／又は、少なくとも部分的に送信させる段階
を備え、
前記プロトコルデータユニットは、プリアンブルを含み、
前記プリアンブルは、繰り返されたロングトレーニングフィールドを含み、
前記プロトコルデータユニットは、前記プリアンブルに続く繰り返しデータを含むペイロードも含み、
前記無線通信は、動作時に、１ＭＨｚの帯域幅を有し、且つ、直交周波数分割多重方式を使用し、
前記繰り返されたロングトレーニングフィールドは、２つのロングトレーニングフィールド繰り返しを含み、
前記２つの繰り返されたロングトレーニングフィールド繰り返しの各々は、複数のシンボルの各々を含み、
前記繰り返しデータは、少なくとも部分的に、２つのデータの繰り返しに基づいており、
前記２つのデータの繰り返しは、インターリービング、二相位相偏移変調マッピング及び逆離散フーリエ変換を含む無線通信関連動作において処理される
プログラム。
【請求項３０】
前記二相位相偏移変調マッピングは、１／４又は１／２の符号化レートであり、
前記繰り返しデータは、二進畳み込み符号化又は低密度パリティ検査符号化により符号化され、及び／又は、
前記無線通信は、１キロメートルのオーダの範囲で行われる
請求項２９に記載のプログラム。
【請求項３１】
前記プリアンブルは、繰り返されたショートトレーニングフィールドも含み、
前記繰り返されたロングトレーニングフィールドは、前記繰り返されたショートトレーニングフィールドに続き、
前記繰り返されたショートトレーニングフィールドは、２つのショートトレーニングフィールド繰り返しを含み、
前記２つの繰り返されたショートトレーニングフィールド繰り返しの各々は、複数のシンボルの各々を含み、
前記２つの繰り返されたショートトレーニングフィールド繰り返し及び前記２つの繰り返されたロングトレーニングフィールド繰り返しは、１ＭＨｚの帯域幅において、受信を可能にする
請求項２９又は３０に記載のプログラム。
【請求項３２】
前記プログラムはデバイスを用いて実行され、
前記デバイスは、
メモリ、及び媒体アクセス制御（ＭＡＣ）サブレイヤ論理を含むトランシーバと、
１又は複数のアンテナと、及び／又は、
ビットストリームがインターリーバに入る前に、前記ビットストリームに前記データの繰り返しを連結するベクトル繰り返し論理を含むペイロードリピータと
を備える
請求項２９から３１のいずれか一項に記載のプログラム。
【請求項３３】
前記プログラムは、送信チェーンの１を超える数のシンボルの繰り返しを生成するためのシンボル繰り返し論理を用いて実行され、及び／又は、
前記プリアンブルは、前記繰り返されたロングトレーニングフィールドに続く繰り返された単一フィールドをさらに含み、
前記繰り返された単一フィールドは、２つの単一フィールド繰り返しを含み、前記２つの単一フィールド繰り返しの各々は、他の複数のシンボルの各々を含む
請求項２９から３２のいずれか一項に記載のプログラム。
【手続補正２】
【補正対象書類名】明細書
【補正対象項目名】発明の名称
【補正方法】変更
【補正の内容】
【発明の名称】デバイス、装置、無線通信に関連する利用についての方法、及びプログラム